(57)【特許請求の範囲】
【請求項１】
容器体上面を閉塞する頂板５に穿設した振出し孔６を、該頂板後部にヒンジ連結された蓋体10の栓で、ヒンジを中心とする蓋体起伏により開閉自在に閉塞する固形物振出し容器において、
上記栓の後壁部11a を前壁部よりも長く下方まで垂下すると共に、栓の左右両壁部から脚板12,12 を垂下し、
上記容器体に対して蓋体10を、固形物21の振出しが可能で、かつ上前方へ傾斜する状態まで開蓋させたとき、上記脚板下端に付設したストッパ13が振出し孔６下縁へ係合すると共に、このとき栓後壁部11a 下端が振出し孔６後縁に近接可能に形成した
ことを特徴とする錠剤状固形物振出し容器。
【請求項２】
上記栓を下面開口の筒状として、該筒状栓11内を、固形物振出し時における仮止め室15とした
ことを特徴とする請求項１記載の錠剤状固形物振出し容器。
【請求項３】
容器体上部内面から振出し孔６下縁まで、固形物21案内用の傾斜面８を形成した
ことを特徴とする請求項１又は２記載の錠剤状固形物振出し容器。
【請求項４】
上記容器体上部を、頂板５外周から第２周壁４を垂下するキャップ本体３として、該キャップ本体と蓋体10とを合成樹脂材で一体成形し、容器体上部を除く部分を底板外周から第１周壁２を起立する容器本体１として、第１周壁２の上部へ第２周壁４を嵌着させた
ことを特徴とする請求項１、２、又は３記載の錠剤状固形物振出し容器。
【発明の詳細な説明】
【０００１】
【発明の属する技術分野】
本発明は錠剤およびその他の錠剤状固形物振出し容器に関する。
【０００２】
【従来の技術】
振出し孔を頂板に有する容器本体と、上記振出し孔を閉塞させて容器本体上面へ嵌合させた蓋体とを有し、該蓋体を外し容器本体内から錠剤状固形物を振出すよう設けた振出し容器が知られている。
【０００３】
【発明が解決しようとする課題】
従来の振出し容器は、その振出しによって錠剤状固定物を振出すが、その数量は一定ではなく、ばらつきが多い。
【０００４】
本発明は、予め定められた数量の上記固形物をほぼ正確に取出しできるよう設けたものである。
【０００５】
【課題を解決するための手段】
第１の手段として容器体上面を閉塞する頂板５に穿設した振出し孔６を、該頂板後部にヒンジ連結された蓋体10の栓で、ヒンジを中心とする蓋体起伏により開閉自在に閉塞する固形物振出し容器において、
上記栓の後壁部11a を前壁部よりも長く下方まで垂下すると共に、栓の左右両壁部から脚板12,12 を垂下し、
上記容器体に対して蓋体10を、固形物21の振出しが可能で、かつ上前方へ傾斜する状態まで開蓋させたとき、上記脚板下端に付設したストッパ13が振出し孔６下縁へ係合すると共に、このとき栓後壁部11a 下端が振出し孔６後縁に近接可能に形成した。
【０００６】
第２の手段として、上記第１の手段を有すると共に上記栓を下面開口の筒状として、該筒状栓11内を、固形物振出し時における仮止め室15とした。
【０００７】
第３の手段として、上記第１又は第２の手段を有すると共に容器体上部内面から振出し孔６下縁まで、固形物21案内用の傾斜面８を形成した。
【０００８】
第４の手段として、上記第１、第２、又は第３の手段を有すると共に上記容器体上部を、頂板５外周から第２周壁４を垂下するキャップ本体３として、該キャップ本体と蓋体10とを合成樹脂材で一体成形し、容器体上部を除く部分を底板外周から第１周壁２を起立する容器本体１として、第１周壁２の上部へ第２周壁４を嵌着させた。
【０００９】
【発明の実施の形態】
以下図面ついて説明すると、１は底板周縁から第１周壁２を起立する容器本体である。
【００１０】
３は上記第１周壁の上部内面へ嵌合可能に、下部外径を小外径とした第２周壁４を頂板５外周から垂下するキャップ本体で、上記頂板５の中央部には振出し孔６を穿設している。
【００１１】
キャップ本体３の上端部内面の隅部には複数の三角形状のリブ７を、該リブ上面は頂板下面へ、かつ外面は第２周壁内面へ、それぞれ連続させて付設し、これ等リブ内面を振出し孔６下縁から第２周壁４の中間部内面までの傾斜面８としている。これ等傾斜面は容器本体内へ収納させる錠剤状の固形物21を振出し孔６へ案内する面を形成する。
【００１２】
上記容器本体１とキャップ本体３とは一体物でもよく、この場合はそれ等から容器体を形成する。
【００１３】
上記キャップ本体頂板５の後部からは、ヒンジ９を介して頂板上面を覆う蓋体10を突出させる。該蓋体は上記振出し孔６を開閉する筒状栓11を垂下しており、該筒状栓の左右両部からは脚板12,12 を垂下し、かつこれ等脚板下端にはストッパ13,13 を付設して、図１が示すようにヒンジ９を中心として、開蓋させたとき、それ等ストッパが振出し孔６の下縁へ係合して斜上前方への蓋体開蓋角度を保持できるよう設けている。
【００１４】
該開蓋角度は振出し孔と筒状栓11の前部下端との間を通って固形物21が放出可能で、かつ少くとも９０度よりも小とする。筒状栓11の後壁部下端11a は、筒状栓の前壁部下端よりも長く下方まで設けてあり、上記開蓋時、その後壁部下端11a は振出し孔後縁へ近接するよう設ける。尚上記脚板12,12 は上記後壁部11a と連続させるとよい。
【００１５】
又上記構成において、蓋体前端下縁に付設した指掛け片14押上げにより、図１が示すようにストッパ13,13 が振出し孔６下縁へ接するまで開蓋する。次いで図３が示すように容器体後部が下向きとなるようほぼ水平ないし容器上部が下部よりも下方に位置するよう倒す。
【００１６】
該状態で蓋体10が有する筒状栓11は、上下逆向きで、かつ下端開口部分をキャップ本体頂板５の前部側へ向けて上向きに傾斜する状態となり、又筒状栓11の後壁部11a 下端は振出し孔６後縁部分に近接している。
【００１７】
上記のように容器体を倒すことで容器体内に収納されている固形物21は図示のように筒状栓内面が形成する斜上方開口の仮止め室15内へ入り、又該室内へ入れないでかつ振出し孔６から殆ど出ている固形物21は、筒状栓の後壁部11a と左右両脚板12,12 との各内面が形成する、上面開放の空間部16内に位置することとなる。
【００１８】
従って上記図３が示す状態から、図４が示すように、容器体倒伏状態を保ったままで、その容器体を軸線を中心として半回転させて容器体前面側を下向きとすれば、上記空間部16および仮止め室15の開口側は図のように下向きに変位し、よってそれ等内部に位置していた固形物を自重により落下させることが出来ることとなる。又このとき容器体内で、かつ振出し孔６付近に位置していた固形物は、傾斜面８により容器体内方へ移動することとなる。又傾斜面８を設けない場合も上記振出し完了と同時に容器体を正立状態に戻すことで固形物を容器体底部側へ戻すことが出来る。
【００１９】
上記振出し完了後は容器体を正立に戻し、蓋体10を閉塞する。
【００２０】
【発明の効果】
本発明は既述構成とするものであり、請求項１記載のように設けておけば既述のように振出しを行うことで、定まった量の固形物だけを振出すことが出来る。
【００２１】
請求項２のようにすることで、振出し量を増すことが出来る。
【００２２】
請求項３のようにすることで、振出し孔への固形物の案内が容易となり、容器体内へ残った僅かの固形物をすべて残さず振出すことが容易である。
【００２３】
請求項４のようにすることで、容器の形成が容易となる。
【図面の簡単な説明】
【図１】  蓋体開蓋状態で示す、本発明容器の斜視図である。
【図２】  蓋体閉塞状態で示す、容器上部の断面図である。
【図３】  収納物を、開蓋した蓋体上へ放出させた状態を示す断面図である。
【図４】  図３の状態から容器を半回転させて、蓋体上の収納物を落下させた状態を示す断面図である。
【符号の説明】
１…容器本体                  ３…キャップ本体
６…振出し孔                  ７…リブ
８…傾斜面                    10…蓋体
11…筒状栓                   11a…栓後壁部
12…脚板                      13…ストッパ
15…仮止め室                  16…空間部
【図１】
0003942019.tif 000002
【図２】
0003942019.tif 000003
【図３】
0003942019.tif 000004
【図４】
0003942019.tif 000005